(57)【要約】【課題】検体検査や治療の際に人為的ミスに起因した医療事故を防止することが可能な生体情報管理システム及び生体情報管理装置を提供することを課題とする。【解決手段】生体情報管理システム１において、生体情報発信装置２に電気的な信号を伝達する伝達媒体としての生体に電気的な信号を誘起させる生体通信トランシーバ５ａを備えると共に、生体情報管理装置３に生体に誘起された電気的な信号を検出して生体情報を受信する生体通信トランシーバ５ｂを備えたことで、生体を伝送路として生体情報発信装置２から生体情報管理装置３へ生体を識別する生体情報が伝送され、生体情報管理装置３で受信した生体情報が自動的に格納されるので、検体検査や治療の際に格納した生体情報を利用することができる。【選択図】図１
2007222478.tif 000002
【特許請求の範囲】
【請求項１】
生体情報発信装置及び生体情報管理装置を備えた生体情報管理システムであって、
前記生体情報発信装置は、
生体を識別するための生体情報を予め記憶しておく記憶手段と、
電気的な信号を伝達する伝達媒体としての生体に電気的な信号を誘起させる生体通信送信手段と、
前記記憶手段から前記生体情報を読み出すとともに前記生体通信送信手段に生体情報を発信させる生体情報発信手段とを備え、
前記生体情報管理装置は、
前記生体に誘起された電気的な信号を検出して前記生体情報を受信する生体通信受信手段と、
前記生体通信受信手段が受信した前記生体情報を格納する生体情報格納手段と、
を備えることを特徴とする生体情報管理システム。
【請求項２】
前記生体情報発信装置は、
生体の個体認証を行う際の判断基準となる認証情報を予め記憶しておくメモリと、
認証情報の入力を受け付ける入力受付手段と、
前記入力受付手段が受け付けた認証情報及び前記判断基準となる認証情報を比較し一致するかどうかを判定する比較判定手段とを更に備え、
前記生体情報発信手段は、前記比較判定手段が一致したと判定した場合に前記記憶手段から前記生体情報を読み出すとともに前記生体通信送信手段に生体情報を発信させることを特徴とする請求項１に記載の生体情報管理システム。
【請求項３】
電気的な信号を伝達する伝達媒体としての前記生体に誘起された電気的な信号を検出して生体を識別するための生体情報を受信する生体通信受信手段と、
前記生体通信受信手段が受信した前記生体情報を格納する生体情報格納手段と、
を備えることを特徴とする生体情報管理装置。
【請求項４】
治療を受けるべき生体を認証する際の判断基準となる生体情報を予め記憶しておくメモリと、
前記生体通信受信手段が受信した生体情報及び前記判断基準となる生体情報を比較し治療を受けるべき生体かどうかを判定する生体判定手段と、
前記生体判定手段が判定した結果を外部へ通知する判定結果通知手段と、
を更に備えることを特徴とする請求項３に記載の生体情報管理装置。
【請求項５】
電気的な信号を伝達する伝達媒体としての中継用の生体通信用の電極に電気的な信号を誘起させる中継用の生体通信送信手段と、
前記生体情報格納手段から前記生体情報を読み出すとともに前記中継用の生体通信送信手段に生体情報を発信させる中継用の生体情報発信手段と、
前記中継用の生体通信用の電極に誘起された電気的な信号を検出して前記生体情報を受信する中継用の生体通信受信手段と、
前記中継用の生体通信受信手段が受信した前記生体情報を最終的に格納する生体情報最終格納手段と、
を更に備えることを特徴とする請求項３又は４に記載の生体情報管理装置。
【請求項６】
前記生体通信受信手段は、生体から血液を採取する金属性の採血針に兼用された生体通信用の電極を備え、
前記生体に誘起された電気的な信号を当該生体通信用の電極を介して検出して前記生体情報を受信することを特徴とする請求項３乃至５のいずれかに記載の生体情報管理装置。
【請求項７】
前記金属性の採血針が採取する血液に関する物理量を計測する血液量計測手段と、
前記血液量計測手段が計測した物理量から採血されているか否かを判定する採血判定手段と、
前記採血判定手段が採血されていると判定した場合に前記生体通信受信手段が受信した生体情報を前記生体情報格納手段に格納させるように制御する制御手段と、
を更に備えることを特徴とする請求項６に記載の生体情報管理装置。
【請求項８】
前記生体通信受信手段は、生体から生体組織の一部を採取する金属性のメスに兼用された生体通信用の電極を備え、
前記生体に誘起された電気的な信号を当該生体通信用の電極を介して検出して前記生体情報を受信することを特徴とする請求項３乃至５のいずれかに記載の生体情報管理装置。
【請求項９】
前記生体通信受信手段は、生体の体内に薬液又は輸血用血液を注入するための金属性の注射針に兼用された生体通信用の電極を備え、
前記生体に誘起された電気的な信号を当該生体通信用の電極を介して検出して前記生体情報を受信することを特徴とする請求項３乃至５のいずれかに記載の生体情報管理装置。
【請求項１０】
前記生体通信受信手段は、生体の体内に臓器を移植するための金属性のピンセットに兼用された生体通信用の電極を備え、
前記生体に誘起された電気的な信号を当該生体通信用の電極を介して検出して前記生体情報を受信することを特徴とする請求項３乃至５のいずれかに記載の生体情報管理装置。
【発明の詳細な説明】
【技術分野】
【０００１】
本発明は、生体の情報を管理する技術に関し、特に、検体検査や治療の際に利用すべき生体情報の管理技術に関する。
【背景技術】
【０００２】
従来、生体を識別するための生体情報を管理する際には、生体情報をバーコードなどでコード化して管理していた（例えば、特許文献１を参照）。図１５に示すように、例えば血液検査などの検体検査では、看護師などの検査を行う人間が、採取した血液などの検体に識別子としてのバーコードを張り付けて、検体と生体とを関連付けてその検体の個別管理を行う。
【０００３】
また、輸血や点滴などの治療を行う際には、予め輸血用血液や薬液の入った袋などの容器に生体情報を書き込んでおき、治療にあたって看護士又は医師などの治療を行う人間が、生体に注入する輸血用血液や薬液と、生体とが適合しているかどうかを確認する。
【特許文献１】特開平７−８９１７８号公報
【発明の開示】
【発明が解決しようとする課題】
【０００４】
しかしながら、検体検査では検査を行う人間が検体の入った瓶などの容器に識別子を張り付ける作業を行うため、誤ってバーコードを張り間違えてしまう。また、輸血又は点滴などの治療の際には治療を行う人間が、生体に注入する輸血用血液又は薬液と、生体とが適合しているかどうかの確認作業を行うため、誤って取り違えて生体内に注入してしまう。このような人為的なミスが原因で医療事故が発生してしまう問題があった。
【０００５】
本発明は、上記問題点に鑑み、検体検査や治療の際に人為的ミスに起因した医療事故を防止することが可能な生体情報管理システム及び生体情報管理装置を提供することを課題とする。
【課題を解決するための手段】
【０００６】
第１の本発明に係る生体情報管理システムは、生体情報発信装置及び生体情報管理装置を備えた生体情報管理システムであって、生体情報発信装置は、生体を識別するための生体情報を予め記憶しておく記憶手段と、電気的な信号を伝達する伝達媒体としての生体に電気的な信号を誘起させる生体通信送信手段と、記憶手段から生体情報を読み出すとともに生体通信送信手段に生体情報を発信させる生体情報発信手段とを備え、生体情報管理装置は、生体に誘起された電気的な信号を検出して生体情報を受信する生体通信受信手段と、生体通信受信手段が受信した生体情報を格納する生体情報格納手段と、を備えることを特徴とする。尚、本発明における電気的な信号を伝達する伝達媒体とは、例えば金属、生体、絶縁性の誘電体膜などが含まれる。
【０００７】
本発明にあっては、生体情報発信装置に電気的な信号を伝達する伝達媒体としての生体に電気的な信号を誘起させる生体通信送信手段を備えると共に、生体情報管理装置に生体に誘起された電気的な信号を検出して生体情報を受信する生体通信受信手段を備えたことで、生体を伝送路として生体情報発信装置から生体情報管理装置へ生体を識別する生体情報が伝送されるので、生体情報管理装置で受信した生体情報を自動的に格納することができ、検体検査や治療の際に格納した生体情報を利用することができる。
【０００８】
上記生体情報管理システムにおける生体情報発信装置は、生体の個体認証を行う際の判断基準となる認証情報を予め記憶しておくメモリと、認証情報の入力を受け付ける入力受付手段と、入力受付手段が受け付けた認証情報及び判断基準となる認証情報を比較し一致するかどうかを判定する比較判定手段とを更に備え、生体情報発信手段は、比較判定手段が一致したと判定した場合に記憶手段から生体情報を読み出すとともに生体通信送信手段に生体情報を発信させることを特徴とする。
【０００９】
本発明にあっては、生体情報発信装置において、比較判定手段により入力受付手段が受け付けた認証情報及び前記判断基準となる認証情報を比較し一致した場合に、生体情報発信手段により生体通信送信手段に生体情報を発信させるようにしたことで、誤って他の生体情報発信装置を使用するのを防止することができる。
【００１０】
第２の本発明に係る生体情報管理装置は、電気的な信号を伝達する伝達媒体としての前記生体に誘起された電気的な信号を検出して生体を識別するための生体情報を受信する生体通信受信手段と、生体通信受信手段が受信した生体情報を格納する生体情報格納手段と、を備えることを特徴とする。
【００１１】
本発明にあっては、生体通信受信手段により電気的な信号を伝達する伝達媒体としての生体に誘起された電気的な信号を検出して生体を識別するための生体情報を受信し、生体通信受信手段により受信した生体情報を生体情報格納手段に格納するようにしたことで、生体を伝送路として生体側から伝送された生体情報を受信し自動的に格納することができるので、検体検査や治療の際に格納した生体情報を利用することができる。
【００１２】
上記生体情報管理装置は、治療を受けるべき生体を認証する際の判断基準となる生体情報を予め記憶しておくメモリと、生体通信受信手段が受信した生体情報及び判断基準となる生体情報を比較し治療を受けるべき生体かどうかを判定する生体判定手段と、生体判定手段が判定した結果を外部へ通知する判定結果通知手段と、を更に備えることを特徴とする。
【００１３】
本発明にあっては、生体判定手段により、生体通信受信手段が受信した生体情報及び予め記憶された治療を受けるべき生体を認証する際の判断基準となる生体情報を比較し治療を受けるべき生体かどうかを判定し、判定結果通知手段により生体判定手段が判定した結果を外部へ通知することで、治療を行う前に治療を受けるべき生体かどうかを確認することができるので、誤った治療を行うのを防止することができる。
【００１４】
上記生体情報管理装置は、電気的な信号を伝達する伝達媒体としての中継用の生体通信用の電極に電気的な信号を誘起させる中継用の生体通信送信手段と、生体情報格納手段から生体情報を読み出すとともに中継用の生体通信送信手段に生体情報を発信させる中継用の生体情報発信手段と、中継用の生体通信用の電極に誘起された電気的な信号を検出して生体情報を受信する中継用の生体通信受信手段と、中継用の生体通信受信手段が受信した生体情報を最終的に格納する生体情報最終格納手段と、を更に備えることを特徴とする。
【００１５】
本発明にあっては、中継用の生体通信送信手段により中継用の生体通信用の電極に電気的な信号を誘起させ、中継用の生体情報発信手段により生体情報格納手段から生体情報を読み出し中継用の生体通信送信手段に生体情報を発信させる。一方で中継用の生体通信受信手段により中継用の生体通信用の電極に誘起された電気的な信号を検出して生体情報を受信するようにしたことで、一旦生体情報格納手段で格納された生体情報を中継して、もう一方の生体情報最終格納手段に生体情報を格納することができる。
【００１６】
上記生体通信受信手段は、生体から血液を採取する金属性の採血針に兼用された生体通信用の電極を備え、生体に誘起された電気的な信号をその生体通信用の電極を介して検出して生体情報を受信することを特徴とする。
【００１７】
本発明にあっては、生体通信受信手段において生体から血液を採取する金属性の採血針に兼用された生体通信用の電極を備え、生体に誘起された電気的な信号をその生体通信用の電極を介して検出して生体情報を受信するようにしたことで、採血検査において生体から金属性の採血針により採血する際に、生体を伝送路として生体側から伝送された生体情報を、採血針に兼用された生体通信用の電極を介して受信し自動的に格納することができる。これにより、採取された血液と生体情報とを関連付けて管理することができる。
【００１８】
上記生体情報管理装置は、金属性の採血針が採取する血液に関する物理量を計測する血液量計測手段と、血液量計測手段が計測した物理量から採血されているか否かを判定する採血判定手段と、採血判定手段が採血されていると判定した場合に生体通信受信手段が受信した生体情報を生体情報格納手段に格納させるように制御する制御手段と、を更に備えることを特徴とする。  
本発明にあっては、採血判定手段により血液量計測手段が計測した採取する血液に関する物理量から採血されていると判定した場合に、制御手段により生体通信受信手段が受信した生体情報を生体情報格納手段に格納させるように制御することで、上記生体情報を、採血が行われている正確なタイミングで採血針に兼用された生体通信用の電極を介して受信し自動的に格納することができる。
【００１９】
上記生体通信受信手段は、生体から生体組織の一部を採取する金属性のメスに兼用された生体通信用の電極を備え、生体に誘起された電気的な信号をその生体通信用の電極を介して検出して生体情報を受信することを特徴とする。  
本発明にあっては、生体通信受信手段において生体から生体組織の一部を採取する金属性のメスに兼用された生体通信用の電極を備え、生体に誘起された電気的な信号をその生体通信用の電極を介して検出して生体情報を受信するようにしたことで、生体組織検査において生体から金属性のメスにより生体組織の一部を採取する際に、生体を伝送路として生体側から伝送された生体情報を、メスに兼用された生体通信用の電極を介して受信し自動的に格納することができる。これにより、採取された生体組織と生体情報とを関連付けて管理することができる。
【００２０】
上記生体通信受信手段は、生体の体内に薬液又は輸血用血液を注入するための金属性の注射針に兼用された生体通信用の電極を備え、生体に誘起された電気的な信号をその生体通信用の電極を介して検出して生体情報を受信することを特徴とする。  
本発明にあっては、生体通信受信手段において生体の体内に薬液又は輸血用血液を注入するための金属性の注射針に兼用された生体通信用の電極を備え、生体に誘起された電気的な信号をその生体通信用の電極を介して検出して生体情報を受信するようにしたことで、点滴や注射、輸血を行うにあたって、生体を伝送路として生体側から伝送された生体情報を、注射針に兼用された生体通信用の電極を介して受信し自動的に格納することができる。
【００２１】
上記生体通信受信手段は、生体の体内に臓器を移植するための金属性のピンセットに兼用された生体通信用の電極を備え、生体に誘起された電気的な信号をその生体通信用の電極を介して検出して前記生体情報を受信することを特徴とする。
【００２２】
本発明にあっては、生体通信受信手段において生体の体内に臓器を移植するための金属性のピンセットに兼用された生体通信用の電極を備え、生体に誘起された電気的な信号をその生体通信用の電極を介して検出して生体情報を受信するようにしたことで、臓器移植を行うにあたって、生体を伝送路として生体側から伝送された生体情報を、ピンセットに兼用された生体通信用の電極を介して受信し自動的に格納することができる。
【発明の効果】
【００２３】
本発明の生体情報管理システム及び生体情報管理装置によれば、検体検査や治療の際に人為的ミスに起因した医療事故を防止することができる。
【発明を実施するための最良の形態】
【００２４】
［第１の実施の形態］
以下、本発明の一実施の形態について、図面を用いて説明する。
【００２５】
図１は、第１の実施の形態に係る生体情報管理システムの概略的な構成を示す図である。同図に示すように、生体情報管理システム１は、生体情報発信装置２と、生体情報管理装置３とで構成される。
【００２６】
生体情報発信装置２は、記憶部４と、腕輪型生体通信用電極７ａを備えた生体通信トランシーバ５ａと、生体情報発信部６とを備える。ここで例えば生体情報発信装置２は、腕輪型生体通信用電極７ａ以外はＩＣチップに内蔵されているものとする。
【００２７】
記憶部４は、生体を識別するための生体情報を予め記憶しておく。ここでは記憶部４は、ＩＣチップに内蔵されたメモリであり、メモリには生体情報として例えば患者の氏名が、１次元のバーコード情報として記憶される。
【００２８】
生体通信トランシーバ５ａは、電気的な信号を伝達する伝達媒体としての生体に電界を誘起させる生体通信送信手段として機能する。
【００２９】
患者の腕に装着された腕輪型生体通信用電極７ａは、生体通信トランシーバ５ａに電気的に接続され、生体通信トランシーバ５ａからの電気的な信号を効率よく生体としての患者の体全体に伝達するようにしている。腕輪型生体通信用電極７ａの表面は絶縁性の誘電体膜で覆われており、電流が患者の体内に流れるのを防止するようにしている。
【００３０】
生体情報発信部６は、記憶部４から生体情報を読み出すとともに生体通信トランシーバ５ｂに生体情報を発信させる。ここで生体情報発信部６は、ＩＣチップに内蔵されたＣＰＵであり、ＣＰＵは、メモリから読み出した生体情報を生体通信トランシーバ５ｂに一定の間隔で繰り返し発信させるように制御する。
【００３１】
生体情報管理装置３は、採血針型生体通信用電極７ｂを備えた生体通信トランシーバ５ｂと、採血管８と、生体情報格納部９と、制御部１０と、生体情報表示部１１とを備える。ここで採血針型生体通信用電極７ｂ及び採血管８以外は例えばＩＣチップに内蔵されているものとする。
【００３２】
生体通信トランシーバ５ｂは、生体に誘起された電気的な信号を検出して生体情報を受信する生体通信受信手段として機能する。ここでは更に生体通信トランシーバ５ｂに電気的に接続された採血針型生体通信用電極７ｂを備える。採血針型生体通信用電極７ｂは生体から血液を採取する採血針に兼用された生体通信用の電極として機能する。生体に誘起された電気的な信号をその採血針型生体通信用電極７ｂを介して検出して生体情報を受信する。採血針は、例えばステンレス製とする。
【００３３】
採血管８は、採血針型生体通信用電極７ｂが採取した血液を格納する。ここでは採血前に内部が真空状態を維持している真空採血管を使用する。
【００３４】
生体情報格納部９は、生体通信トランシーバ５ｂが受信した生体情報を格納する。ここでは生体情報格納部９は、採血管８に備え付けられたＩＣチップに内蔵されたメモリであり、メモリには生体通信トランシーバ５ｂが受信した生体情報が、１次元のバーコード情報として記憶される。
【００３５】
制御部１０は、生体通信トランシーバ５ｂが受信した生体情報を生体情報格納部９に格納させるように制御する。ここでは制御部１０は、採血管８に備え付けられたＩＣチップに内蔵されたＣＰＵであり、ＣＰＵは、生体情報格納部９から生体情報を読み出して生体情報表示部１１に表示させるように制御する。
【００３６】
生体情報表示部１１は、生体情報を表示する。ここでは例えば小型の平面表示装置により、生体情報がコード化された１次元のバーコード情報として表示される。
【００３７】
次に、生体情報管理システム１における生体情報発信装置２及び生体情報管理装置３が備える生体通信トランシーバ５の内部の具体的な構成について図２を用いて説明する。同図に示す生体通信トランシーバ５は、例えば送信すべき情報に基づく電気的な信号としての電界を電界伝達媒体に誘起させるとともに誘起された電界を検出して情報の送受信を行う電界検出型の生体通信トランシーバを使用する。ここで電界伝達媒体とは例えば生体だけでなく、ステンレスなどの金属、絶縁性の誘電体膜や合成樹脂なども含まれる。
【００３８】
生体情報発信装置２が備える生体通信送信手段としての生体通信トランシーバ５ａは、送信時において、ＩＣチップ内部の生体情報発信部６などのコンピュータからの送信データを入出力（Ｉ／Ｏ）回路５０１を介して受け取ると、この送信データを、送信部５０２を介して腕輪型生体通信用電極７ａに供給し、この腕輪型生体通信用電極７ａを介して生体に電界を誘起させ、この電界を伝達させるようになっている。
【００３９】
また、生体情報管理装置３が備える生体通信受信手段としての生体通信トランシーバ５ｂは、受信時において、生体に誘起されて伝達されてくる電界を、採血針型生体通信用電極７ｂで検出し、この電界を電界検出光学部５０３に結合して電気信号に変換するようになっている。そして、この電気信号は、信号処理回路５０４で増幅、雑音除去などの信号処理を施され、更に波形整形回路５０５で波形整形されてから、入出力（Ｉ／Ｏ）回路５０１を介してＩＣチップ内部の制御部１０などのコンピュータに出力されるようになっている。
【００４０】
このように電界を電界伝達媒体に誘起させるとともに生体に誘起された電界を検出して情報の送受信を行う電界検出型の生体通信トランシーバを使用することで、生体に電流が流れることなく生体を伝送路とした生体通信が可能になる。
【００４１】
このような構成の生体情報管理システム１において、生体を伝送路として生体情報発信装置２から生体情報管理装置３へ生体を識別する生体情報が伝送されるので、生体情報管理装置３で受信した生体情報を自動的に格納することができ、検体検査や治療の際に格納した生体情報を利用することができる。
【００４２】
次に、採血検査を例にして、生体情報管理システム１の処理の流れについて図１を用いて説明する。以下では、生体情報発信装置２により、ステップ１〜ステップ３を実行し、生体情報管理装置３により、ステップ４〜ステップ５を実行する。
【００４３】
ステップ１：まず、生体情報発信装置２により、生体を識別するための生体情報を予め記憶部４に記憶しておく。
【００４４】
ステップ２：生体通信送信手段としての生体通信トランシーバ５ａにより腕輪型生体通信用電極７ａを介して生体に電界を誘起させる。
【００４５】
ステップ３：生体情報発信部６により記憶部４から生体情報を読み出すとともに生体通信トランシーバ５ａに生体情報を発信させる。ここでは、生体通信トランシーバ５ａに生体情報を一定の時間間隔で繰り返し発信させるように制御する。
【００４６】
ステップ４：次に、生体情報管理装置３により、生体通信トランシーバ５ｂにより生体に誘起された電気的な信号を、採血針型生体通信用電極７ｂを介して検出して生体情報を受信する。このとき、採血針型生体通信用電極７ｂにより生体から血液が採取され採血管８に格納される。
【００４７】
ステップ５：制御部１０により、生体通信トランシーバ５ｂが受信した生体情報を生体情報格納部９に格納する。
【００４８】
図３は、生体情報管理装置３を内蔵したＩＣチップが備え付けられた採血管及び採血針型生体通信用電極７ｂを示している。同図に示すように、採血管８には採取された血液が格納されている。生体情報管理装置３上には生体情報表示部１１が配置されている。生体情報表示部１１には、例えば小型平面表示装置を使用し、生体情報管理装置３内部のメモリに格納された生体情報を１次元のバーコード情報として表示する。ここで表示されたバーコード情報は、専用の読み取り装置で自動に読み取りが可能であるので、例えば看護士などの検体を管理する管理者にとって検体の管理が容易になる。
【００４９】
一方で、採血針型生体通信用電極７ｂには、採血針型生体通信用電極７ｂを固定するためのホルダー１２を装着した採血針ホルダー１８を使用する。ホルダー１２には絶縁性の合成樹脂を使用する。
【００５０】
このような構成の生体情報管理装置３により、採血検査において生体から金属性の採血針により採血する際に、生体を伝送路として生体側から伝送された生体情報を、採血針型生体通信用電極７ｂを介して受信し自動的に格納することができる。これにより、採取された血液と生体情報とを関連付けて管理することができる。また、採血針ホルダー１８からＩＣチップが備え付けられた採血管８を分離することで、管理が更に容易になる。
【００５１】
したがって、本実施の形態によれば、生体情報発信装置２に電気的な信号を伝達する伝達媒体としての生体に電気的な信号を誘起させる生体通信トランシーバ５ａを備えると共に、生体情報管理装置３に生体に誘起された電気的な信号を検出して生体情報を受信する生体通信トランシーバ５ｂを備えたことで、生体を伝送路として生体情報発信装置２から生体情報管理装置３へ生体を識別する生体情報が伝送されるので、生体情報管理装置３で受信した生体情報を自動的に格納することができ、検体検査や治療の際に格納した生体情報を利用することができる。これにより、検体検査や治療の際に人為的ミスに起因した医療事故を防止することができる。
【００５２】
更に、生体通信トランシーバ５ｂにおいて生体から血液を採取する金属性の採血針に兼用された採血針型生体通信用電極７ｂを備え、生体に誘起された電気的な信号を採血針型生体通信用電極７ｂを介して検出して生体情報を受信するようにしたことで、採血検査において生体から金属性の採血針により採血する際に、生体を伝送路として生体側から伝送された生体情報を、採血針に兼用された採血針型生体通信用電極７ｂを介して受信し自動的に格納することができる。これにより、採取された血液と生体情報とを関連付けて管理することができる。
【００５３】
［第２の実施の形態］
以下、第２の実施の形態に係る生体情報管理システムについて説明する。
【００５４】
本実施の形態に係る生体情報管理システムの構成は、第１の実施の形態で説明したものと基本的な構成は同様である。第１の実施の形態と異なる点は、図４に示すように、生体情報発信装置２が、生体の個体認証を行う際の判断基準となる認証情報を予め記憶しておくメモリ１５と、認証情報の入力を受け付ける入力受付手段としての指紋センサ１６ａ及びパターン認識部１６ｂと、指紋センサ１６ａ及びパターン認識部１６ｂが受け付けた認証情報及び判断基準となる認証情報を比較し一致するかどうかを判定する比較判定部１７とを更に備え、生体情報発信部６により、比較判定部１７が一致したと判定した場合に記憶部４から生体情報を読み出すとともに生体通信トランシーバ５ａに生体情報を発信させる点である。
【００５５】
生体情報発信装置２を上記構成としたことで、本実施の形態による生体情報管理システムによる処理は、第１の実施の形態における生体情報発信装置２によるステップ１〜３に、以下に示すステップ８〜１０が更に追加される。ステップ３は追加されたステップ９に従ってステップ３’となる。
【００５６】
ステップ１：まず、生体情報発信装置２により、生体を識別するための生体情報を予め記憶部４に記憶しておく。
【００５７】
ステップ８：生体の個体認証を行う際の判断基準となる認証情報を予めメモリ１５に記憶しておく。認証情報としてここでは例えば患者の指紋パターンを予めメモリ１５に記憶し登録しておく。
【００５８】
ステップ９：指紋センサ１６ａ及びパターン認識部１６ｂにより認証情報の入力を受け付ける。ここでは例えば患者が生体情報発信装置２の装着前に、自分の指を指紋センサ上に置く。指紋センサ１６ａにより、認証情報としての指紋パターンを検知し、パターン認識部１６ｂにより、指紋センサ１６ａが検知した指紋パターンをデジタルデータに変換する。
【００５９】
ステップ１０：比較判定部１７により指紋センサ１６ａ及びパターン認識部１６ｂが受け付けた認証情報及び判断基準となる認証情報を比較し一致するかどうかを判定する。ここでは予め登録された指紋パターンと入力を受け付けた指紋パターンが一致しているか比較する。そして比較判定部１７が一致していないと判定した場合は認証判定通知部２０として赤色のＬＥＤが点灯し、一致していると判定した場合は緑色のＬＥＤが点灯するようにする。このようにして患者に個体認証の結果が視覚的に通知されるので、患者は装着前に生体情報発信装置２が自分用か他人用のものかどうかを認識することができる。
【００６０】
ステップ２：生体通信送信手段としての生体通信トランシーバ５ａにより腕輪型生体通信用電極７ａを介して生体に電界を誘起させる。
【００６１】
ステップ３’：ステップ１０において比較判定部１７が一致したと判定した場合に生体情報発信部６により記憶部４から生体情報を読み出すとともに生体通信トランシーバ５ａに生体情報を発信させる。ここでも、生体通信トランシーバ５ａに生体情報を一定間隔で繰り返し発信させるように制御する。
【００６２】
したがって、本実施の形態によれば、生体情報発信装置２において、比較判定部１７により指紋センサ１６ａ、パターン認識部１６ｂが受け付けた認証情報及び判断基準となる認証情報を比較し一致した場合に、生体情報発信部６により生体通信トランシーバ５ａに生体情報を発信させるようにしたことで、第１の実施の形態に係る効果に加えて、誤って他の生体情報発信装置を使用するのを防止することができる。
【００６３】
尚、本実施の形態においては、生体の個体認証を行う際の判断基準となる認証情報を患者の指紋パターンとし、患者は、指紋認証により生体情報発信装置２の所有者であることを認証するようにしたが、これに限られるものではなく、静脈のパターン、顔や声紋、瞳の虹彩などの生体に関する特徴を認証情報として使用した生体認証により個体認証を行うようにしてもよい。また、その他、パスワードを入力するようにして個体認証を行うようにしてもよい。
【００６４】
また、本実施の形態においては、比較判定部１７の判定結果を通知する認証判定通知部２０には、表示色の異なる２種類のＬＥＤを使用し、患者に個体認証の結果を視覚的に通知するようにしたが、これに限られるものではなく、例えばスピーカなどにより音声で通知するようにしてもよい。これにより例えば目の不自由な患者も個体認証の結果を知覚することができる。
【００６５】
［第３の実施の形態］
以下、第３の実施の形態に係る生体情報管理システムについて説明する。
【００６６】
本実施の形態に係る生体情報管理システムの構成は、第１の実施の形態で説明したものと基本的な構成は同様である。第１の実施の形態と異なる点は、図５に示すように、生体情報管理装置３が、金属性の採血針７ｂが採取する血液に関する物理量を計測する血液量計測部１３と、血液量計測部１３が計測した物理量から採血されているか否かを判定する採血判定部１４とを更に備え、制御部１０により、採血判定部１４が採血されていると判定した場合に生体通信トランシーバ５ｂが受信した生体情報を生体情報格納部９に格納させるように制御する点である。
【００６７】
次に生体情報管理装置３の血液量計測部１３の構成について図６，図７を用いて具体的に説明する。図６の外観図に示すように、採取する血液に関する物理量を計測する血液量計測部１３としての発光素子と受光素子が、採血管８の底部の周囲にアレイ状に配列されている（以下、発光・受光素子アレイと称する）。発光・受光素子アレイは、採血管８内部の明るさを計測し、採血管８内部に採血された血液が通過したことを検知する。
【００６８】
図７は採血管８を上から見た平面図である。同図に示すように、対向して配置された発光素子であるＬＥＤ及び受光素子であるフォトトランジスタの組が複数配列されている。例えばＬＥＤ（１）からの光が採血管８内部を通過し、対向するフォトトランジスタ（１）で受光される。ここではＬＥＤとフォトトランジスタには、それぞれが赤色の波長の光で動作するものを使用し、ＬＥＤからの光が血液で吸収されるようにする。
【００６９】
採血前は、採血管８は空の状態であるので、ＬＥＤ（１）〜（１０）からの光が採血管８内部を通過し、それぞれ対向するフォトトランジスタ（１）〜（１０）で受光される。この場合には、フォトトランジスタ（１）〜（１０）で受光される光検出強度は十分に高く、採血判定部１４は、採血されていないと判定するので、生体情報表示部１１のＬＥＤは点灯しない。
【００７０】
採血中は、採血管８に血液が注入され、ＬＥＤ（１）〜（１０）からの光が採血管８内部の血液で吸収されるので、フォトトランジスタ（１）〜（１０）で受光される光検出強度が弱まる。フォトトランジスタで検出される光検出強度が基準値よりも弱くなった場合に採血判定部１４は採血されていると判定し、制御部１０は生体情報表示部１１のＬＥＤを点灯させ、採血されていることを外部へ通知すると共に生体通信トランシーバ５ｂが受信した生体情報を生体情報格納部９に格納させるように制御する。
【００７１】
これにより、採血が行われている正確なタイミングで採血針に兼用された生体通信用の電極７ｂを介して生体情報を受信し自動的に格納することができる。
【００７２】
また、生体情報は生体情報発信装置２から一定間隔で送信されるので、ここでは最初に格納した生体情報のみを有効とし、それ以後に受信した生体情報は格納しないように制御する。これにより誤った生体情報を格納するのを防止できる。
【００７３】
したがって、本実施の形態によれば、採血判定部１４により血液量計測部１３としての発光・受光素子アレイが計測した採取する血液に関する物理量から、採血されていると判定した場合に、制御部１０により生体通信トランシーバ５ｂが受信した生体情報を生体情報格納部９に格納させるように制御することで、第１の実施の形態に係る効果に加えて、生体情報を、採血が行われている正確なタイミングで採血針に兼用された生体通信用の電極７ｂを介して受信し自動的に格納することができる。
【００７４】
尚、本実施の形態においては、採血管８の底部の周囲にアレイ状に配列した発光素子及び受光素子により、採取する血液に関する物理量として採血管８内部の明るさを計測するような構成にしたが、これに限られるものではない、例えば、採取した血液の重量を検知するセンサ、血液の体積を検知する体積センサ、採血針に加わる圧力を検知する圧力センサのうち少なくとも１つのセンサを使用して、採取する血液に関する物理量を計測するようにしてもよい。また、採血管の表面に採血の際に必ず触れる必要のある部分にスイッチを設け、そのスイッチが押されている期間に採血されているとみなすような構成にしてもよい。
【００７５】
［第４の実施の形態］
以下、第４の実施の形態に係る生体情報管理システムについて説明する。
【００７６】
本実施の形態に係る生体情報管理システムの構成は、第１の実施の形態で説明したものと基本的な構成は同様である。第１の実施の形態と異なる点は、図８に示すように、生体情報管理装置３が、中継用生体情報管理装置３ａと最終格納用生体情報管理装置３ｂとで構成される点である。
【００７７】
中継用生体情報管理装置３ａは、メス型生体通信用電極７ｃを備えた生体通信トランシーバ５ａと、生体情報格納部９ａと、制御部１０ａとを備える。
【００７８】
メス型生体通信用電極７ｃは、生体から生体組織の一部を採取する金属性のメスに兼用された中継用の生体通信用の電極として機能する。
【００７９】
生体通信トランシーバ５ａは、生体に誘起された電気的な信号を、メス型生体通信用電極７ｃを介して検出して生体情報を受信する生体通信受信手段としての機能と、メス型生体通信用電極７ｃに電気的な信号を誘起させる中継用の生体通信送信手段としての機能とを備える。
【００８０】
生体情報格納部９ａは、生体通信トランシーバ５ａが受信した生体情報を格納する生体情報格納手段として機能する。
【００８１】
制御部１０ａは、生体情報格納部９ａから生体情報を読み出すとともに生体通信トランシーバ５ａに生体情報を発信させる中継用の生体情報発信手段として機能する。
【００８２】
最終格納用生体情報管理装置３ｂは、トレイ型生体通信用電極７ｄを備えた生体通信トランシーバ５ｂと、生体情報格納部９ｂと、制御部１０ｂと、生体情報表示部１１ｂとを備える。
【００８３】
トレイ型生体通信用電極７ｄは、メス型生体通信用電極７ｃにより採取した生体組織の一部を格納しておく金属性の容器に兼用された中継用の生体通信用の電極として機能する。
【００８４】
生体通信トランシーバ５ｂは、メス型生体通信用電極７ｃに誘起された電気的な信号を、トレイ型生体通信用電極７ｄを介して検出して生体情報を受信する中継用の生体通信受信手段として機能する。
【００８５】
生体情報格納部９ｂは、生体通信トランシーバ５ｂが受信した生体情報を最終的に格納する生体情報最終格納手段として機能する。
【００８６】
制御部１０ｂは、生体通信トランシーバ５ｂが受信した生体情報を生体情報格納部９ｂに格納させるように制御する。
【００８７】
生体情報表示部１１ｂは、生体情報を表示する。ここでは例えば液晶表示装置により、生体情報として例えば患者の氏名がコード化され、コード化された１次元のバーコード情報が表示される。
【００８８】
次に、本実施の形態に係る生体情報管理システム１における生体情報管理装置３による処理の流れについて生体組織検査を例にして図９，１０を用いて説明する。
【００８９】
ステップ１：まず、図９に示すようにメス型生体通信用電極７ｃで生体から生体組織の一部を採取する際に、中継用生体情報管理装置３ａ内部の生体通信トランシーバ５ａにより、生体に誘起された電気的な信号を、メス型生体通信用電極７ｃを介して検出して生体情報を受信する。
【００９０】
ステップ２：生体通信トランシーバ５ａが受信した生体情報を中継用生体情報管理装置３ａ内部の生体情報格納部９ａに格納する。
【００９１】
ステップ３：次に、図１０に示すように中継用生体情報管理装置３ａ内部の生体通信トランシーバ５ａにより、メス型生体通信用電極７ｃに電界を誘起させる。
【００９２】
ステップ４：中継用生体情報管理装置３ａ内部の制御部１０ａにより生体情報格納部９ａから生体情報を読み出すとともに生体通信トランシーバ５ａに生体情報を発信させる。
【００９３】
ステップ５：最終格納用生体情報管理装置３ｂのトレイ型生体通信用電極７ｄに、金属性のメスにより採取した生体組織の一部を格納する際に、最終格納用生体情報管理装置３ｂ内部の生体通信トランシーバ５ｂにより、メス型生体通信用電極７ｃに誘起された電界を、トレイ型生体通信用電極７ｄを介して検出して生体情報を受信する。
【００９４】
ステップ６：生体通信トランシーバ５ｂが受信した生体情報を、最終格納用生体情報管理装置３ｂ内部の生体情報格納部９ｂに格納する。ここでは生体情報格納部９ｂに格納された生体情報は生体情報表示部１１ｂにより表示される。
【００９５】
したがって、本実施の形態によれば、中継用生体情報管理装置３ａにおいて、生体通信トランシーバ５ａに生体から生体組織の一部を採取する金属性のメスに兼用されたメス型生体通信用電極７ｃを備え、生体に誘起された電気的な信号をその生体通信用電極７ｃを介して検出して生体情報を受信するようにしたことで、生体組織検査において生体から金属性のメスにより生体組織の一部を採取する際に、生体を伝送路として生体側から伝送された生体情報を、メスに兼用された生体通信用電極７ｃを介して受信し自動的に格納することができる。
【００９６】
更に、生体通信トランシーバ５ａによりメス型生体通信用電極７ｃに電気的な信号を誘起させ、制御部１０ａにより生体情報格納部９ａから生体情報を読み出し生体通信トランシーバ５ａに生体情報を発信させる。一方で最終格納用生体情報管理装置３ｂにおいて、メス型生体通信用電極７ｃで採取した生体組織をトレイ型生体通信用電極７ｄに格納する際に、生体通信トランシーバ５ｂによりメス型生体通信用電極７ｃ及びトレイ型生体通信用電極７ｄに誘起された電気的な信号を検出して生体情報を受信するようにしたことで、一旦生体情報格納部９ａで格納された生体情報を中継して、もう一方の生体情報格納部９ｂに生体情報を格納することができる。
【００９７】
これにより、最終格納用生体情報管理装置３ｂにおいて、採取された生体組織と生体情報とを関連付けて管理することができる。
【００９８】
上記各実施の形態においては、生体情報として患者の氏名を使用したが、生体を識別するための情報であれば、これに限られるものではなく、例えば診察券などで使用する患者の登録識別番号に関する情報を使用してもよい。
【００９９】
また、生体情報は１次元のバーコード情報としてコード化され、専用の読み取り装置で読み取るようにしたが、これに限られるものではなく、例えば、バーコード以外のＱＲコードなどの２次元コードを使用する自動認識技術や、無線ＩＣタグ技術を利用して生体情報の管理を行ってもよい。
【０１００】
その他、生体情報表示部１１によりコード化された生体情報を表示するようにしたが、コード化された生体情報だけでなく、例えば生体情報を直接表示してもよい。これにより、看護士などの検体を管理する管理者が目視で読み取りができるので管理がより容易になる。
【０１０１】
［第５の実施の形態］
以下、第５の実施の形態に係る生体情報管理システムについて説明する。
【０１０２】
本実施の形態に係る生体情報管理システムの構成は、第１の実施の形態で説明したものと基本的な構成は同様である。第１の実施の形態と異なる点は、図１１に示すように、生体情報管理装置３が、治療を受けるべき生体を認証する際の判断基準となる生体情報を予め記憶しておくメモリとしての生体情報格納部９と、生体通信トランシーバ５ｂが受信した生体情報及び判断基準となる生体情報を比較し治療を受けるべき生体かどうかを判定する生体判定部２１と、生体判定部２１が判定した結果を外部へ通知する判定結果通知部２２と、を更に備える点である。
【０１０３】
ここで生体情報格納部９には治療を受けるべき生体を認証する際の判断基準となる生体情報として例えば注射管１９内の薬液の情報を予め格納しておく。
【０１０４】
一方で、生体情報発信装置２の記憶部４には、生体を識別するための生体情報として例えば、生体が受け入れ可能な薬液の情報を予め記憶しておく。
【０１０５】
また、同図の生体通信トランシーバ５ｂは、生体の体内に薬液を注入するための金属性の注射針に兼用された注射針型生体通信用電極７ｅを備えている。生体に誘起された電気的な信号を、注射針型生体通信用電極７ｅを介して検出して生体情報を受信する。
【０１０６】
このような構成としたことで、生体に薬液を注射するにあたって、生体通信トランシーバ５ｂにおいて生体に誘起された電気的な信号を、注射針型生体通信用電極７ｅを介して検出して生体情報が受信される。
【０１０７】
更に、生体判定部２１により、生体通信トランシーバ５ｂが受信した生体が受け入れ可能な薬液の情報及び注射管１９内の薬液の情報を比較し、注射を受けるべき生体かどうかを判定する。
【０１０８】
判定結果通知部２２により生体判定部２１が判定した結果を外部へ通知する。例えば注射を受けるべき生体でないと判定した場合には警告を発生する。このようにして、治療を行う人間が治療を行う前に、治療を受けるべき生体かどうかを確認することができるので、誤った治療を行うのを防止することができる。
【０１０９】
また、本実施の形態においては、生体通信トランシーバ５ｂが備えた生体通信用電極は、生体の体内に薬液を注入するための注射針型の生体通信用電極としたが、これに限られるものではなく、例えば、点滴を行う際の点滴用注射針や、輸血用血液を生体に注入する際の輸血用針であってもよい。これにより、点滴や輸血を行う際でも、治療を受けるべき生体かどうかを確認することができるので、誤った治療を行うのを防止することができる。
【０１１０】
［第６の実施の形態］
以下、第６の実施の形態に係る生体情報管理システムについて説明する。
【０１１１】
本実施の形態に係る生体情報管理システムの構成は、第５の実施の形態で説明したものと基本的な構成は同様である。第５の実施の形態と異なる点は、図１２に示すように、生体情報管理装置３が、中継用生体情報管理装置３ａと、最終格納用生体情報管理装置３ｂとで構成される点である。
【０１１２】
中継用生体情報管理装置３ａは、ピンセット型生体通信用電極７ｆを備えた生体通信トランシーバ５ａと、生体情報格納部９ａと、生体判定部２１と、判定結果通知部２２とを備える。
【０１１３】
ピンセット型生体通信用電極７ｆは、生体の体内に臓器を移植するための金属性のピンセットに兼用された生体通信用の電極として機能する。生体通信トランシーバ５ａは、生体に誘起された電気的な信号を、ピンセット型生体通信用電極７ｆを介して検出して生体情報を受信する。
【０１１４】
生体情報格納部９ａは、治療を受けるべき生体を認証する際の判断基準となる生体情報が記憶されるメモリとして機能する。ここで判断基準となる生体情報には例えば、移植用臓器に関する情報とする。
【０１１５】
生体判定部２１は、生体通信トランシーバ５ａが受信した生体情報及び判断基準となる生体情報を比較し治療を受けるべき生体かどうかを判定する。
【０１１６】
判定結果通知部２２は、生体判定部２１が判定した結果を外部へ通知する。
【０１１７】
最終格納用生体情報管理装置３ｂは、トレイ型生体通信用電極７ｄを備えた生体通信トランシーバ５ｂと、生体情報格納部９ｂと、制御部１０ｂと、生体情報表示部１１ｂとを備える。
【０１１８】
トレイ型生体通信用電極７ｄは、移植用臓器を格納しておく金属性の容器に兼用された生体通信用の電極として機能する。
【０１１９】
生体通信トランシーバ５ｂは、トレイ型生体通信用電極７ｄに電気的な信号を誘起させる中継用の生体通信送信手段として機能する。
【０１２０】
生体情報格納部９ｂは、治療を受けるべき生体を認証する際の判断基準となる生体情報を予め記憶しておくメモリとして機能する。判断基準となる生体情報は移植用臓器に関する情報である。
【０１２１】
制御部１０ｂは、生体情報格納部９ｂから生体情報を読み出すと共に生体通信トランシーバ５ｂに生体情報を発信させる中継用の生体情報発信手段として機能する。
【０１２２】
次に、本実施の形態に係る生体情報管理システム１における生体情報管理装置３による処理の流れについて臓器移植を例にして図１３，１４を用いて説明する。生体情報発信装置２の記憶部４には、生体を識別するための生体情報として例えば、生体が受け入れ可能な移植用臓器の情報が予め記憶されているものとする。
【０１２３】
ステップ１：まず、図１３に示すようにピンセット型生体通信用電極７ｆでトレイ型生体通信用電極７ｄに格納された移植用臓器を取り上げる際に、最終格納用生体情報管理装置３ｂ内部の生体通信トランシーバ５ｂにより、トレイ型生体通信用電極７ｄに電気的な信号を誘起させる。
【０１２４】
ステップ２：次に、最終格納用生体情報管理装置３ｂ内部の制御部１０ｂにより、生体情報格納部９ｂから生体情報を読み出すと共に生体通信トランシーバ５ｂに生体情報を発信させる。
【０１２５】
ステップ３：中継用生体情報管理装置３ａ内部の生体通信トランシーバ５ａにより、トレイ型生体通信用電極７ｄ及びピンセット型生体通信用電極７ｆに誘起された電気的な信号を検出して生体情報を受信する。受信した生体情報を中継用生体情報管理装置３ａ内部の生体情報格納部９ａに格納する。このようにして生体情報として移植用臓器に関する情報が中継用生体情報管理装置３ａ内部に格納される。
【０１２６】
ステップ４：次に、図１４に示すようにピンセット型生体通信用電極７ｆで取り上げた移植用臓器を生体の患部に移植する際に、中継用生体情報管理装置３ａ内部の生体通信トランシーバ５ａにより、生体情報発信装置２から生体に誘起された電気的な信号を、ピンセット型生体通信用電極７ｆを介して検出して生体情報を受信する。このようにして生体情報としての生体が受け入れ可能な移植用臓器の情報が受信される。
【０１２７】
ステップ５：中継用生体情報管理装置３ａ内部の生体判定部２１により、生体通信トランシーバ５ａが受信した生体が受け入れ可能な移植用臓器の情報及び生体情報格納部９ａに格納された判断基準となる移植用臓器に関する情報を比較し臓器移植を受けるべき生体かどうかを判定する。
【０１２８】
ステップ６：判定結果通知部２２により、生体判定部２１が判定した結果を外部へ通知する。臓器移植を受けるべき生体でないと判定した場合には警告を発生する。このようにして、治療を行う人間が治療を行う前に、治療を受けるべき生体かどうかを確認することができるので、誤った治療を行うのを防止することができる。
【０１２９】
したがって、本実施の形態によれば、中継用生体情報管理装置３ａにおいて生体通信トランシーバ５ａに生体の体内に臓器を移植するための金属性のピンセットに兼用されたピンセット型生体通信用電極７ｆを備え、生体に誘起された電気的な信号を、ピンセット型生体通信用電極７ｆを介して検出して生体情報を受信するようにしたことで、臓器移植を行うにあたって、生体を伝送路として生体側から伝送された生体情報を、ピンセットに兼用された生体通信用の電極を介して受信し自動的に格納することができる。
【０１３０】
更に、判定結果通知部２２により、生体判定部２１が判定した結果を外部へ通知するようにしたことで、治療を行う人間が治療を行う前に、治療を受けるべき生体かどうかを確認することができるので、誤った治療を行うのを防止することができる。
【０１３１】
尚、上記各実施の形態においては、生体通信トランシーバは、送信すべき情報に基づく電気的な信号としての電界を電界伝達媒体に誘起させるとともに誘起された電界を検出して情報の送受信を行う電界検出型の生体通信トランシーバを使用したが、これに限られるものではない、例えば、生体に電気的な信号として電流を流すことで情報の送受信を行うようにして、生体を伝送路として通信を行う生体通信を行ってもよい。
【０１３２】
尚、上記の各実施の形態においては、患者の生体に関する生体情報を管理するようにしたが、生体は人間の生体に限られるものではない。例えば、人間以外のペットや家畜などの生体に関する生体情報を管理するようにしてもよい。このような場合においても、生体を伝送路として伝送された生体情報を管理することができるので、本実施の形態と同様な効果を奏することができる。
【図面の簡単な説明】
【０１３３】
【図１】第１の実施の形態に係る生体情報管理システムの概略的な構成を示す図である。
【図２】上記生体情報管理システムにおける生体情報発信装置及び生体情報装置が備える電界トランシーバの内部構成を示す図である。
【図３】上記生体情報管理装置を備えた採血管及び採血針の外観を示す図である
【図４】第２の実施の形態に係る生体情報管理システムにおける生体情報発信装置の概略的な構成を示す図である。
【図５】第３の実施の形態に係る生体情報管理システムにおける生体情報管理装置の概略的な構成を示す図である。
【図６】上記生体情報管理装置を備えた採血管及び採血針の外観を示す図である。
【図７】上記採血管を上から見た平面図である。
【図８】第４の実施の形態に係る生体情報管理システムにおける生体情報管理装置の概略的な構成を示す図である。
【図９】上記生体情報管理装置の第１の使用例を示す図である。
【図１０】上記生体情報管理装置の第２の使用例を示す図である。
【図１１】第５の実施の形態に係る生体情報管理システムにおける生体情報管理装置の概略的な構成を示す図である。
【図１２】第５の実施の形態に係る生体情報管理システムにおける生体情報管理装置の概略的な構成を示す図である。
【図１３】上記生体情報管理装置の第１の使用例を示す図である。
【図１４】上記生体情報管理装置の第２の使用例を示す図である。
【図１５】従来の生体情報の管理の一例を示す図である。
【符号の説明】
【０１３４】
１…生体情報管理システム
２…生体情報発信装置
３…生体情報管理装置
３ａ…中継用生体情報管理装置
３ｂ…最終格納用生体情報管理装置
４…記憶部
５，５ａ，５ｂ…生体通信トランシーバ
６…生体情報発信部
７…生体通信用電極
７ａ…腕輪型生体通信用電極
７ｂ…採血針型生体通信用電極
７ｃ…メス型生体通信用電極
７ｄ…トレイ型生体通信用電極
７ｅ…注射針型生体通信用電極
７ｆ…ピンセット型生体通信用電極
８…採血管
９，９ａ，９ｂ…生体情報格納部
１０，１０ａ，１０ｂ…制御部
１１，１１ｂ…生体情報表示部
１２…ホルダー
１３…血液量計測部
１４…採血判定部
１５…メモリ
１６ａ…指紋センサ
１６ｂ…パターン認識部
１７…比較判定部
１８…採血針ホルダー
１９…注射管
２０…認証判定通知部
２１…生体判定部
２２…判定結果通知部
５０１…生体通信トランシーバの入出力（Ｉ／Ｏ）回路
５０２…生体通信トランシーバの送信部
５０３…生体通信トランシーバの電界検出光学部
５０４…生体通信トランシーバの信号処理回路
５０５…生体通信トランシーバの波形整形回路
【図１】
2007222478.tif 000003
【図２】
2007222478.tif 000004
【図３】
2007222478.tif 000005
【図４】
2007222478.tif 000006
【図５】
2007222478.tif 000007
【図６】
2007222478.tif 000008
【図７】
2007222478.tif 000009
【図８】
2007222478.tif 000010
【図９】
2007222478.tif 000011
【図１０】
2007222478.tif 000012
【図１１】
2007222478.tif 000013
【図１２】
2007222478.tif 000014
【図１３】
2007222478.tif 000015
【図１４】
2007222478.tif 000016
【図１５】
2007222478.tif 000017